(57)【要約】【課題】メニューのメイン食材などの特定食材を適切に特定することが可能なメニュー管理装置、メニュー管理方法、及びメニュー管理プログラムを提供することを目的とする。【解決手段】メニューの調理に用いられる食材ごとの使用量と前記食材ごとに対応して予め設定された重み付け値を含む重み付け情報とに基づいて、前記食材各々について前記使用量及び前記重み付け値を用いた特定の演算処理が実行され、前記食材のうち前記演算処理の演算結果が予め設定される特定条件を満たす特定食材が特定される。【選択図】図７
2018128819.tif 000002
【特許請求の範囲】
【請求項１】
メニューの調理に用いられる食材ごとの使用量と前記食材ごとに対応して予め設定された重み付け値を含む重み付け情報とに基づいて、前記食材各々について前記使用量及び前記重み付け値を用いた特定の演算処理を実行する演算処理部と、
前記食材のうち前記演算処理の演算結果が予め設定される特定条件を満たす特定食材を特定する特定処理部と、
を備えるメニュー管理装置。
【請求項２】
前記特定条件は、前記演算結果として得られる演算値が最も大きいことである、
請求項１に記載のメニュー管理装置。
【請求項３】
前記特定条件は、前記演算結果として得られる演算値が予め設定される特定順位以内に入っていることである、
請求項１に記載のメニュー管理装置。
【請求項４】
前記特定処理部は、ユーザ操作に応じて前記特定条件を設定可能である、
請求項１に記載のメニュー管理装置。
【請求項５】
前記メニューにおける前記特定食材を情報端末に提示可能な提示処理部を備える、
請求項１〜４のいずれかに記載のメニュー管理装置。
【請求項６】
前記メニューの情報の入力操作を受け付ける受付処理部と、
前記受付処理部によって入力されるメニューと前記特定食材が共通する他の前記メニューを抽出する抽出処理部と、
を備える、請求項１〜５のいずれかに記載のメニュー管理装置。
【請求項７】
前記抽出処理部は、前記メニューの価格が入力された場合に、前記特定食材が共通し、且つ当該メニューとの価格差が所定範囲内である他の前記メニューを抽出する、
請求項６に記載のメニュー管理装置。
【請求項８】
検索対象食材の指定を受け付ける受付処理部と、
前記メニューのうち前記受付処理部により受け付けられる前記検索対象食材についての前記演算処理の演算結果が予め設定される検索条件を満たす特定メニューを検索する検索処理部と、
を備える、請求項１〜７のいずれかに記載のメニュー管理装置。
【請求項９】
前記検索条件が、前記演算結果として得られる演算値が予め設定される検索順位以内に入っていることである、
請求項８に記載のメニュー管理装置。
【請求項１０】
メニューの調理に用いられる食材ごとの使用量と前記食材ごとに対応する重み付け値を含む重み付け情報とに基づいて、前記食材各々について前記使用量及び前記重み付け値を用いた特定の演算処理を実行することと、
前記食材のうち前記演算処理の演算結果が予め設定される特定条件を満たす特定食材を特定することと、
を含むメニュー管理方法。
【請求項１１】
メニューの調理に用いられる食材ごとの使用量と前記食材ごとに対応する重み付け値を含む重み付け情報とに基づいて、前記食材各々について前記使用量及び前記重み付け値を用いた特定の演算処理を実行する演算ステップと、
前記食材のうち前記演算処理の演算結果が予め設定される特定条件を満たす特定食材を特定する特定ステップと、
をコンピュータに実行させるためのメニュー管理プログラム。
【請求項１２】
メニューの調理に用いられる食材ごとの使用量と前記食材ごとに対応して予め設定された重み付け値を含む重み付け情報とに基づいて、前記食材各々について前記使用量及び前記重み付け値を用いた特定の演算処理を実行する演算処理部と、
検索対象食材の指定を受け付ける受付処理部と、
前記メニューのうち前記受付処理部により受け付けられる前記検索対象食材についての前記演算処理の演算結果が予め設定される検索条件を満たす特定メニューを検索する検索処理部と、
を備えるメニュー管理装置。
【請求項１３】
前記検索条件が、前記演算結果として得られる演算値が予め設定される検索順位以内に入っていることである、
請求項１２に記載のメニュー管理装置。
【発明の詳細な説明】
【技術分野】
【０００１】
本発明は、メニューの情報を管理可能なメニュー管理装置、メニュー管理方法、及びメニュー管理プログラムに関する。
【背景技術】
【０００２】
飲食店で提供されるメニュー各々の情報を管理するシステムとして、メニューに用いられる食材の情報の入力を受け付け、それらの情報をメニューの情報として表示可能なメニュー生成システムが知られている（例えば特許文献１）。
【先行技術文献】
【特許文献】
【０００３】
【特許文献１】特開２０１６−７１８７０号公報
【発明の概要】
【発明が解決しようとする課題】
【０００４】
ところで、メニューの情報として、食材各々の使用量が登録可能である構成も考えられる。さらに、メニューにおける重要度の高いメイン食材の情報が登録可能であることも考えられる。ここで、上述のようなメニュー生成システムにおいて、最も使用量が多い食材が自動的にメニューのメイン食材として特定されることが考えられる。例えば「サーモンのクリーム煮込み」というメニューに使用される食材として、「サーモン  ２００ｇ」、「玉ねぎ  １００ｇ」、「しめじ  ５０ｇ」、「牛乳  ５０ｇ」が登録されているとする。この場合には、最も使用量の多い「サーモン」がメイン食材であると判断することが可能である。しかしながら、この手法では、例えば「牛丼」というメニューに使用される食材として、「牛肉  １００ｇ」、「玉ねぎ  １００ｇ」、「水  ５０ｃｃ」、「米  ２８０ｇ」が登録されている場合には、最も使用量（重量）の多い食材は「米」となり、本来メイン食材として特定されるべき「牛肉」ではなく、「米」がメイン食材と判断されることが問題になる。
【０００５】
本発明の目的は、メニューのメイン食材などの特定食材を適切に特定することが可能なメニュー管理装置、メニュー管理方法、及びメニュー管理プログラムを提供することになる。
【課題を解決するための手段】
【０００６】
本発明に係るメニュー管理装置は、メニューの調理に用いられる食材ごとの使用量と前記食材ごとに対応して予め設定された重み付け値を含む重み付け情報とに基づいて、前記食材各々について前記使用量及び前記重み付け値を用いた特定の演算処理を実行する演算処理部と、前記食材のうち前記演算処理の演算結果が予め設定される特定条件を満たす特定食材を特定する特定処理部とを備える。
【０００７】
本発明に係るメニュー管理方法は、メニューの調理に用いられる食材ごとの使用量と前記食材ごとに対応する重み付け値を含む重み付け情報とに基づいて、前記食材各々について前記使用量及び前記重み付け値を用いた特定の演算処理を実行することと、前記食材のうち前記演算処理の演算結果が予め設定される特定条件を満たす特定食材を特定することとを含む。
【０００８】
本発明に係るメニュー管理プログラムは、メニューの調理に用いられる食材ごとの使用量と前記食材ごとに対応する重み付け値を含む重み付け情報とに基づいて、前記食材各々について前記使用量及び前記重み付け値を用いた特定の演算処理を実行する演算ステップと、前記食材のうち前記演算処理の演算結果が予め設定される特定条件を満たす特定食材を特定する特定ステップとをコンピュータに実行させるためのメニュー管理プログラムである。
【０００９】
本発明に係るメニュー管理装置は、メニューの調理に用いられる食材ごとの使用量と前記食材ごとに対応して予め設定された重み付け値を含む重み付け情報とに基づいて、前記食材各々について前記使用量及び前記重み付け値を用いた特定の演算処理を実行する演算処理部と、特定食材の指定を受け付ける指定受付部と、前記メニューのうち前記指定受付部により受け付けられる前記特定食材についての前記演算処理の演算結果が予め設定される特定条件を満たす特定料理目メニューを特定する特定処理部とを備える。
【発明の効果】
【００１０】
本発明によれば、メニューのメイン食材などの特定食材を適切に特定することが可能なメニュー管理装置、メニュー管理方法、及びメニュー管理プログラムを提供することが可能である。
【図面の簡単な説明】
【００１１】
【図１】図１は、本発明の実施の形態に係るメニュー管理システムの構成を示すブロック図である。
【図２】図２は、本発明の実施の形態に係るメニュー管理システムで使用されるユーザ情報の一例を示す図である。
【図３】図３は、本発明の実施の形態に係るメニュー管理システムで使用される飲食店情報の一例を示す図である。
【図４】図４は、本発明の実施の形態に係るメニュー管理システムで使用されるメニュー情報の一例を示す図である。
【図５】図５は、本発明の実施の形態に係るメニュー管理システムで使用される重み付け情報の一例を示す図である。
【図６】図６は、本発明の実施の形態に係るメニュー管理システムで実行されるメニュー管理処理の手順の一例を示すフローチャートである。
【図７】図７は、本発明の実施の形態に係るメニュー管理システムで実行されるメニュー管理処理で表示される表示画面の一例を示す図である。
【図８】図８は、本発明の実施の形態に係るメニュー管理システムで実行されるメニュー管理処理で表示される表示画面の一例を示す図である。
【図９】図９は、本発明の実施の形態に係るメニュー管理システムで実行されるメニュー管理処理で表示される表示画面の一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定する性格のものではない。
【００１３】
［メニュー管理システム１］
図１に示すように、本発明の実施形態に係るメニュー管理システム１は、メニュー管理装置２と一又は複数のユーザ端末３とを含む。メニュー管理装置２及びユーザ端末３は、インターネット、ＬＡＮ、ＷＡＮ、又は公衆電話回線などの通信網Ｎ１を介して通信可能な情報端末である。なお、ユーザ端末３には、メニュー管理装置２で管理される飲食店又はメニューの編集操作などを行う飲食店の管理者側のユーザによって使用される端末、及びメニュー管理装置２で管理される飲食店又はメニューの検索操作などを行う飲食店の利用者側のユーザによって使用される端末が含まれる。
【００１４】
メニュー管理装置２は、複数の飲食店の各々で提供されているメニューの情報を提供するメニュー情報提供サイトとしての機能を備えている。より具体的に、本実施形態では、前記メニュー情報提供サイトが飲食店の検索に用いられる飲食店情報提供サイトである場合を例に挙げて説明する。前記飲食店情報提供サイトには、全国各地の飲食店に関する情報（店名、写真、地図、電話番号など）が登録されている。また、前記飲食店情報提供サイトには、各飲食店で提供されているメニューに関する情報（メニュー名、価格、写真、食材、レシピなど）が登録されている。飲食店の経営者又は従業員などの店舗側のユーザは、ユーザ端末３からメニュー管理装置２にアクセスして、自身の飲食店で提供されているメニューに関する情報の登録、変更、又は削除を行うことができる。
【００１５】
ところで、この種のメニュー管理装置２では、メニューの情報として、食材各々の使用量が登録可能である構成も考えられる。さらに、メニューにおける重要度の高いメイン食材の情報が登録可能であることも考えられる。ここで、上述のようなメニュー生成システムにおいて、最も使用量が多い食材が自動的にメニューのメイン食材として特定されることが考えられる。例えば「サーモンのクリーム煮込み」というメニューに使用される食材として、「サーモン  ２００ｇ」、「玉ねぎ  １００ｇ」、「しめじ  ５０ｇ」、「牛乳  ５０ｇ」が登録されているとする。この場合には、最も使用量の多い「サーモン」がメイン食材であると判断することが可能である。しかしながら、この手法では、例えば「牛丼」というメニューに使用される食材として、「牛肉  １００ｇ」、「玉ねぎ  １００ｇ」、「水  ５０ｃｃ」、「米  ２８０ｇ」が登録されている場合には、最も使用量（重量）の多い食材は「米」となり、本来メイン食材として特定されるべき「牛肉」ではなく、「米」がメイン食材と判断されることが問題になる。これに対し、本実施形態に係るメニュー管理装置２では、以下に説明するように、メニューのメイン食材などの特定食材を適切に特定することが可能である。
【００１６】
［メニュー管理装置２］
図１に示されるように、メニュー管理装置２は、制御部２１、記憶部２２、操作表示部２３、及び通信Ｉ／Ｆ２４などを備えるサーバである。なお、メニュー管理装置２は、１台のコンピュータに限らず、複数台のコンピュータが協働して動作するコンピュータシステムであってもよい。また、メニュー管理装置２で実行される各種の処理は、一又は複数のプロセッサによって分散して実行されてもよい。
【００１７】
通信Ｉ／Ｆ２４は、メニュー管理装置２を有線又は無線で通信網Ｎ１に接続し、通信網Ｎ１を介してユーザ端末３などの外部機器との間で所定の通信プロトコルに従ったデータ通信を実行するための通信インタフェースである。
【００１８】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザインタフェースである。
【００１９】
記憶部２２は、各種の情報を記憶するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性の記憶部である。具体的に、記憶部２２には、ユーザ情報Ｄ１（図２参照）、飲食店情報Ｄ２（図３参照）、メニュー情報Ｄ３（図４参照）、重み付け情報Ｄ４（図５参照）などのデータが記憶される。なお、メニュー情報Ｄ３は、飲食店情報Ｄ２に登録されている飲食店ごとに対応付けて記憶されている。
【００２０】
図２に示されるように、ユーザ情報Ｄ１には、ユーザ端末３のユーザごとに対応するユーザＩＤ、パスワード、飲食店ＩＤなどの情報が含まれる。ユーザＩＤはユーザを識別するための識別情報であって、ユーザＩＤ及びパスワードはユーザのログイン処理で使用される。飲食店ＩＤは、各ユーザが管理又は所属している飲食店を識別するための識別情報である。
【００２１】
図３に示されるように、飲食店情報Ｄ２には、飲食店ごとに対応する飲食店ＩＤ、エリア、業態、平均予算などの情報が含まれる。エリアは、飲食店の所在地を示し、業態は、飲食店で提供される料理ジャンルなどに基づく飲食店の分類である。平均予算は、例えば飲食店を利用するときに必要となる平均的な金額である。なお、飲食店情報Ｄ２には、他に、利用目的、許容人数、クーポン使用可否、飲み放題有無、又は食べ放題有無などの情報が含まれていてもよい。飲食店情報Ｄ２は、前記飲食店情報提供サイトにおいてユーザが任意の飲食店を探す際に実行される検索処理時に制御部２１により参照されることがある。
【００２２】
メニュー情報Ｄ３は、前記飲食店情報提供サイトに登録されたメニューに関する情報であって、例えば飲食店ごとに記憶される。図４に示されるように、メニュー情報Ｄ３には、メニューごとに対応するメニュー名、価格、食材などの情報が含まれる。メニュー名は、メニューを識別するための識別情報である。価格は、メニューの価格を示している。食材は、メニューの調理に使用される一又は複数の食材を識別するための識別情報である。メニュー情報Ｄ３は、前記飲食店情報提供サイトにメニューが新規登録されたとき、及び前記飲食店情報提供サイトからメニューが変更又は削除されたときに、制御部２１により随時更新される。
【００２３】
重み付け情報Ｄ４は、メニューにおける食材の重要性を判断するために用いられる情報である。図５に示されるように、重み付け情報Ｄ４には、食材各々に対応する重み付け値が予め設定されて登録されている。具体的に、重み付け値は０以上１以下の値である。例えば、図５に示される重み付け情報Ｄ４では、「米」の重み付け値が「０．０１」であってメニューにおける重要性が低く、「牛肉」の重み付け値が「１．０」であってメニューにおける重要性が高いことが定められている。即ち、「米」のようにメニューの主要な食材として相応しくない食材についてはメイン食材を特定する際の重要性が「牛肉」に比べて著しく低く設定されている。その他、例えば「米」に限らず、「水」などもメイン食材を特定する際の重要性が著しく低く設定されている。
【００２４】
なお、他の実施形態として、ユーザ情報Ｄ１、飲食店情報Ｄ２、メニュー情報Ｄ３、重み付け情報Ｄ４などの情報の一部又は全部が、メニュー管理装置２から通信網Ｎ１を介してアクセス可能な他のサーバに記憶されていることも考えられる。そして、メニュー管理装置２の制御部２１は、前記サーバから各種の情報を取得して、後述のメニュー管理処理（図６参照）などの各処理を実行してもよい。
【００２５】
また、記憶部２２には、前記飲食店情報提供サイトに登録されている飲食店情報Ｄ２及びメニュー情報Ｄ３などに基づいて飲食店及びメニューの情報をユーザ端末３に提示するための飲食店情報ページ（不図示）のデータが記憶される。特に、記憶部２２には、飲食店の経営者又は従業員などの店舗側のユーザがユーザ端末３を用いて前記飲食店情報提供サイトにメニューを登録する際に当該ユーザ端末３に表示される後述のメニュー登録ページＰ１１（図７参照）のデータも記憶される。なお、記憶部２２には、前記飲食店情報提供サイトに登録されている飲食店及びメニューを検索するための検索ページ（不図示）のデータも記憶される。
【００２６】
また、記憶部２２には、制御部２１に後述のメニュー管理処理（図６参照）を実行させるためのメニュー管理プログラムなどの制御プログラムが記憶されている。例えば、前記メニュー管理プログラムは、ＣＤ又はＤＶＤなどのコンピュータ読取可能な記録媒体に非一時的に記録されており、メニュー管理装置２が備えるＣＤドライブ又はＤＶＤドライブなどの読取装置（不図示）で読み取られて記憶部２２に記憶される。
【００２７】
制御部２１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することによりメニュー管理装置２を制御する。
【００２８】
具体的に、制御部２１は、図１に示されるように、受付処理部２１１、提示処理部２１２、演算処理部２１３、特定処理部２１４、抽出処理部２１５などの各種の処理部を含む。なお、制御部２１は、前記ＣＰＵで前記メニュー管理プログラムに従った各種の処理を実行することによって、受付処理部２１１、提示処理部２１２、演算処理部２１３、特定処理部２１４、抽出処理部２１５として機能する。また、制御部２１に含まれる一部又は全部の処理部が電子回路で構成されていてもよい。なお、前記メニュー管理プログラムは、複数のプロセッサを前記各種の処理部として機能させるためのプログラムであってもよい。
【００２９】
受付処理部２１１は、メニュー情報Ｄ３へのメニューの登録操作又はメニュー情報Ｄ３の編集操作などを受け付けることが可能である。具体的に、受付処理部２１１は、ユーザ端末３から受信されるユーザＩＤ及びパスワードに基づいて、ユーザ情報Ｄ１を参照してユーザ認証を行う。そして、受付処理部２１１は、メニュー登録ページＰ１１のデータをユーザ端末３に送信して、メニュー登録ページＰ１１をユーザ端末３に表示させる。メニューが登録又は編集されると、受付処理部２１１は、メニュー情報Ｄ３を更新する。
【００３０】
提示処理部２１２は、ユーザ端末３からの要求に応じて前記検索ページのデータをユーザ端末３に送信して、前記検索ページをユーザ端末３に表示させる。そして、提示処理部２１２は、ユーザ端末３から受信される検索条件に基づいて、前記検索条件に対応する前記飲食店情報ページのデータをユーザ端末３に送信して、前記飲食店情報ページをユーザ端末３に表示させる。このとき、提示処理部２１２は、前記飲食店情報ページにおいて、メニューの情報としてメイン食材のような予め設定された特定条件を満たす特定食材の情報を提示することも可能である。
【００３１】
演算処理部２１３は、メニューの調理に用いられる食材ごとの使用量を含むメニュー情報Ｄ３と、前記食材ごとに対応して予め設定された重み付け値を含む重み付け情報Ｄ４とに基づいて、前記食材各々について前記使用量及び前記重み付け値を用いた特定の演算処理を実行する。具体的に、演算処理部２１３は、前記使用量と前記重み付け値との積を求める演算を前記特定の演算処理として実行する。なお、前記特定の演算処理には、例えばメニューのジャンルごと又は調理法ごとに異なる所定の係数を前記使用量又は前記重み付け値に掛ける演算が含まれてもよい。
【００３２】
特定処理部２１４は、メニューに使用される食材のうち前記演算処理の演算結果が予め設定される特定条件を満たす特定食材を特定する。具体的に、本実施形態において、前記特定条件は、前記演算結果として得られる演算値が最も大きいことである。なお、他の実施形態として、前記特定条件が、前記演算結果として得られる演算値が予め設定される特定順位以内に入っていることであってもよい。さらに、特定処理部２１４は、ユーザ操作に応じて前記特定条件を任意に設定することが可能であってもよい。
【００３３】
抽出処理部２１５は、任意のメニューが入力された場合に、当該メニューと前記特定食材が共通する他のメニューを抽出することが可能である。また、抽出処理部２１５は、前記メニューの価格が入力された場合に、前記特定食材が共通し、且つ当該メニューとの価格差が所定範囲内である他の前記メニューを抽出することも可能である。そして、抽出処理部２１５によって抽出された前記メニューは提示処理部２１２によってユーザ端末３に表示させる。
【００３４】
［ユーザ端末３］
図１に示されるように、ユーザ端末３は、制御部３１、記憶部３２、操作表示部３３、及び通信Ｉ／Ｆ３４などを備える。ユーザ端末３は、例えば携帯電話、スマートフォン、タブレット端末、又はパーソナルコンピュータのような情報端末である。
【００３５】
具体的に、飲食店の経営者又は管理者などのユーザは、ユーザ端末３に表示された所定のログインページにおいてユーザＩＤ及びパスワードを入力することによりメニュー管理装置２にログインする。これにより、メニュー管理装置２の制御部２１は、ログイン中のユーザを識別することが可能である。
【００３６】
通信Ｉ／Ｆ３４は、ユーザ端末３を有線又は無線で通信網Ｎ１に接続し、通信網Ｎ１を介してメニュー管理装置２などの外部機器との間で所定の通信プロトコルに従ったデータ通信を実行するための通信インタフェースである。
【００３７】
操作表示部３３は、各種のウェブページなどの情報を表示する液晶ディスプレイ又は有機ＥＬディスプレイのような表示部と、操作を受け付けるマウス、キーボード、又はタッチパネルなどの操作部とを備えるユーザインタフェースである。
【００３８】
記憶部３２は、各種の情報を記憶するＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）又はフラッシュメモリーなどの不揮発性の記憶部である。例えば、記憶部３２には、ブラウザプログラム等の制御プログラムが記憶される。具体的に、前記ブラウザプログラムは、ＨＴＴＰ（Ｈｙｐｅｒｔｅｘｔ  Ｔｒａｎｓｆｅｒ  Ｐｒｏｔｏｃｏｌ）等の通信プロトコルに従ってメニュー管理装置２等の外部装置との間で通信処理を制御部３１に実行させるための制御プログラムである。
【００３９】
制御部３１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することによりユーザ端末３を制御する。
【００４０】
具体的に、制御部３１は、記憶部３２に記憶されている前記ブラウザプログラムに従って各種の処理を実行することによりブラウザ処理部３１１として機能する。ブラウザ処理部３１１は、メニュー管理装置２から通信網Ｎ１を介して提供されるウェブページを操作表示部３３に表示させ、操作表示部３３に対する操作をメニュー管理装置２に入力するブラウザ処理を実行することが可能である。なお、制御部３１に含まれる一部又は全部の処理部は電子回路で構成されていてもよい。また、本実施形態では、メニュー管理システム１における表示及び操作がユーザ端末３で行われる場合を例に挙げて説明するが、メニュー管理装置２において表示及び操作が行われてもよい。即ち、メニュー管理装置２がユーザ端末３を兼ねたスタンドアローンタイプのメニュー管理システム１を構成するものであってもよい。
【００４１】
［メニュー管理処理］
以下、図６を参照しつつ、メニュー管理装置２の制御部２１によって実行されるメニュー管理処理について説明する。なお、制御部２１は、ユーザ端末３からのアクセスが発生した場合に、ユーザ端末３ごとに対応する当該メニュー管理処理を個別に実行する。具体的に、制御部２１は、ユーザ端末３を用いてメニュー管理装置２に対するログイン操作が行われた場合に、当該ログイン操作によってログインされたユーザに対応する飲食店に対応するメニュー情報Ｄ３を対象として当該メニュー管理処理が開始される。なお、制御部２１は、複数のユーザ端末３に対応する前記メニュー管理処理を時分割によって略並行して実行することがある。また、当該メニュー管理処理は、ユーザ端末３の所定の操作によって途中で終了されることがある。
【００４２】
また、本発明は、当該メニュー管理処理に含まれる一又は複数のステップを実行するメニュー管理方法の発明として捉えることができ、ここで説明する当該メニュー管理処理に含まれる一又は複数のステップが適宜省略されてもよい。なお、前記メニュー管理処理における各ステップは同様の作用効果を生じる範囲で実行順序が異なってもよい。さらに、ここでは制御部２１によって当該メニュー管理処理における各ステップが実行される場合を例に挙げて説明するが、複数のプロセッサによって当該メニュー管理処理における各ステップが分散して実行されるメニュー管理方法も他の実施形態として考えられる。
【００４３】
＜ステップＳ１＞
ステップＳ１において、制御部２１は、メニューの登録操作を受け付けるためのメニュー登録ページＰ１１をユーザ端末３に表示させる。ここに、図７は、メニュー登録ページＰ１１の一例を示す図である。図７に示されるように、ユーザ端末３に表示されるメニュー登録ページＰ１１には、メニュー名、価格、食材、メイン食材が入力される入力部Ｐ１１１〜Ｐ１１４が表示されている。また、メイン登録ページＰ１１には、入力補助を使用して登録対象となるメニューの候補を検索するための操作キーＫ１１１、及び入力中のメニューと類似する類似メニューを表示させるための操作キーＫ１１２が表示されている。さらに、メイン登録ページＰ１１には、食材の入力を終了して登録するための操作キーＫ１１３、及びメニューの入力を終了して登録するための操作キーＫ１１４も表示されている。
【００４４】
＜ステップＳ２〜Ｓ４＞
ステップＳ２〜Ｓ４では、ユーザ端末３のユーザ操作によってメニュー登録ページＰ１１の入力部Ｐ１１１〜Ｐ１１３に対するメニュー名、価格、食材などのメニューの情報の入力を受け付ける。ここに、係る処理は、制御部２１の受付処理部２１１によって実行される。なお、メニュー名、価格、食材は任意の順番で入力可能である。
【００４５】
具体的に、入力部Ｐ１１１では、テキスト入力によって登録対象のメニューのメニュー名を入力することが可能であり、入力部Ｐ１２１では、テキスト入力によって登録対象のメニューの価格を入力することが可能である。また、制御部２１は、操作キーＫ１１１の操作に応じて入力補助ページＰ１２（図８参照）をユーザ端末３に表示させる。図８に示されるように、入力補助ページＰ１２では、入力部Ｐ１２１、入力部Ｐ１２２、候補表示部Ｐ１２３、及び操作キーＫ１２１などが表示されている。
【００４６】
入力部Ｐ１２１では、検索対象食材の指定が受け付けられる。ここに、係る処理は、制御部２１の受付処理部２１１によって実行される。例えば、制御部２１は、入力部Ｐ１２１の操作に応じて、予め設定された食材のリストをプルダウン又はポップアップでユーザ端末３に表示させ、ユーザ端末３のユーザ操作に応じて食材を検索対象食材として選択する。具体的に、図８では、ユーザ操作に応じて「牛肉」が検索対象食材として指定されて入力部Ｐ１２１に入力された状態である。
【００４７】
入力部Ｐ１２２では、入力部Ｐ１２１に入力された前記検索対象食材についての前記演算処理の演算結果が満たすべき検索条件の指定が受け付けられる。例えば、前記検索条件は、当該食材がメニューにおいて何番目に重要な食材であるかを示す条件である。具体的に、例えば、前記検索条件としては、メニューにおいて最も重要な食材である「メイン」、次に重要な食材である「サブ１」、さらに次に重要な食材である「サブ２」などが指定可能である。
【００４８】
例えば、制御部２１は、入力部Ｐ１２１の操作に応じて、予め設定された検索条件のリストをプルダウン又はポップアップでユーザ端末３に表示させ、ユーザ端末３のユーザ操作に応じて検索条件を選択する。具体的に、図８では、ユーザ操作に応じて「メイン」が前記検索条件として指定されて入力部Ｐ１２２に入力された状態である。また、前記検索条件は、前記演算結果として得られる演算値が予め設定される検索順位以内に入っていることであってもよい。なお、複数組の入力部Ｐ１２１及び入力部Ｐ１２２が表示され、複数組の食材及び検索条件が設定可能であることも他の実施形態として考えられる。
【００４９】
そして、制御部２１は、入力部Ｐ１２１及び入力部Ｐ１２２に食材及び検索条件が入力された状態で操作キーＫ１２１が操作されると、前記食材について前記検索条件を満たすメニューを検索し、登録対象のメニューの選択候補として表示部Ｐ１２３に表示させる。なお、複数組の食材及び検索条件が設定されている場合には、その食材各々について前記検索条件が満たされるメニューを検索し、メニューの選択候補として表示部Ｐ１２３に表示させることが考えられる。
【００５０】
図８では、食材として「牛肉」が選択され、検索条件として「メイン」が選択された状態で操作キーＫ１２１が操作され、「牛肉」が「メイン」食材として含まれるメニュー「ハンバーグ」、「牛すき焼小鍋」、「牛肉しぐれ煮」の情報が価格と共に表示された例が示されている。これにより、ユーザは、表示部Ｐ１２３に表示されているメニューを参照し、「牛肉」が「メイン」食材として使用されているメニューを決定することが可能である。例えば、表示部Ｐ１２３に表示されるメニュー及び価格は、予め記憶部２２に登録される参考メニュー情報から抽出されて表示される。具体的に、前記参考メニュー情報には、ユーザがユーザ端末３を用いてメニューを登録する際に参照可能な参考メニューが予め登録されている。なお、前記参考メニュー情報では、メニュー情報Ｄ３と同様に、前記参考メニュー各々について、メニュー名、価格、食材、メイン食材などが登録されている。
【００５１】
その後、制御部２１は、入力補助ページＰ１２で表示された前記メニューの選択候補から任意のメニューが選択された場合に、そのメニューのメニュー名をメニュー登録ページＰ１１の入力部Ｐ１１１に入力する。このとき、制御部２１は、前記参考メニュー情報に登録された当該メニューの価格、食材、メイン食材なども前記メニュー登録ページＰ１１に仮入力することも考えられる。
【００５２】
入力部Ｐ１１３では、任意の食材の指定が受け付けられる。例えば、制御部２１は、入力部Ｐ１１３の操作に応じて、予め設定された食材のリストをプルダウン又はポップアップでユーザ端末３に表示させ、ユーザ端末３のユーザ操作に応じて食材を選択する。具体的に、図７では、ユーザ操作に応じて「米」、「玉ねぎ」、「牛肉」が食材として指定されて入力部Ｐ１１３に入力された状態である。なお、食材の指定方法はここで説明する手法に限らない。
【００５３】
さらに、入力部Ｐ１１３では、各食材の使用量及び単位の入力が受け付けられる。また、記憶部２２には、入力部Ｐ１１３に入力される使用量の単位を予め設定された特定の単位に変換するための比重情報が記憶されている。これにより、制御部２１は、入力部Ｐ１１３に入力される食材の使用量を前記比重情報に基づいて特定の単位に変換することが可能である。本実施形態では、前記特定の単位が重量（ｇ）であるとする。例えば、制御部２１は、水１００ｃｃに基づいて、水の使用量が１００ｇであると認識することが可能である。
【００５４】
＜ステップＳ５＞
ステップＳ５において、制御部２１は、入力部Ｐ１１３に入力された食材が登録されたか否かを判断する。具体的に、制御部２１は、入力部Ｐ１１３に対して一又は複数の食材の情報が入力された後、操作キーＫ１１３が操作された場合に、食材が登録されたと判断する。ここで、食材が登録されたと判断すると（Ｓ５：Ｙｅｓ）、処理がステップＳ６に移行し、食材が登録されるまでの間は（Ｓ５：Ｎｏ）、処理が前記ステップＳ２に戻される。
【００５５】
＜ステップＳ６＞
ステップＳ６において、制御部２１は、入力部Ｐ１１３に入力された食材各々の情報に基づいて、登録対象のメニューにおける食材各々の重要性を判断するための指標値を算出する演算処理を実行する。ここに、係る処理は制御部２１の演算処理部２１３によって実行される。
【００５６】
具体的に、制御部２１は、メニューの調理に用いられる食材ごとの使用量と、前記食材ごとに対応して予め設定された重み付け値を含む重み付け情報Ｄ４とに基づいて、前記食材各々について前記使用量及び前記重み付け値を用いた特定の演算処理を実行する。なお、前記特定の演算処理では、例えば「使用量」×「重み付け値」の演算結果が演算値として算出される。
【００５７】
例えば、図７のメニュー登録ページＰ１１の入力例では、食材の情報として「米  ２８０ｇ」、「玉ねぎ  ５０ｇ」、「牛肉  １００ｇ」が入力されている。また、図５に示されるように、重み付け情報Ｄ４では、「米」の食材に対応する重み付け値が「０．０５」、「玉ねぎ」の食材に対応する重み付け値が「０．２」、「牛肉」の食材に対応する重み付け値が「１．０」である旨が登録されている。そこで、制御部２１は、「米」については、使用量「２８０ｇ」×重み付け値「０．０５」により演算値「１４」を算出する。同様に、「玉ねぎ」については、使用量「５０ｇ」×重み付け値「０．２」により演算値「１０」を算出し、使用量「１００ｇ」×重み付け値「１．０」により演算値「１００」を算出する。
【００５８】
＜ステップＳ７＞
ステップＳ７において、制御部２１は、前記ステップＳ６で算出された演算値に基づいて、登録対象のメニューにおけるメイン食材（特定食材の一例）を特定する。ここに、係る処理は制御部２１の特定処理部２１４によって実行される。具体的に、制御部２１は、前記ステップＳ６で算出される演算値が最も大きいという予め設定される特定条件を満たす食材をメイン食材として特定する。例えば、図７に示される例では、前述したように、「米」、「玉ねぎ」、「牛肉」各々に対応する演算値が「１４」、「１０」、「１００」になる。そのため、当該演算値が最も大きい「牛肉」がメイン食材として特定され、「玉ねぎ」が２番目に重要な食材、「米」が３番目に重要な食材として特定される。
【００５９】
なお、本実施形態では、メニューにおいて最も重要なメイン食材を特定食材として特定する場合を例に挙げて説明するが、これに限らない。具体的に、制御部２１は、メニューにおいて最も重量なメイン食材に加えて、又はメイン食材に代えて、重要度が２番目以降のサブ食材を特定食材として特定することが可能であってもよい。より具体的に、制御部２１は、メニューにおける重要度がユーザによって任意に指定された順位である食材を特定すること、又はメニューにおける重要度がユーザによって任意に指定される順位以内である食材を特定することが可能な構成が考えられる。即ち、前記特定条件が、前記演算値が２番目に大きいこと、又は前記演算値が３番目以内であること等に予め設定されていることが考えられる。
【００６０】
＜ステップＳ８＞
ステップＳ８において、制御部２１は、前記ステップＳ７で特定されたメイン食材をユーザ端末３に提示する。ここに、係る処理は、制御部２１の提示処理部２１２によって実行される。具体的に、制御部２１は、前記メイン食材をメニュー登録ページＰ１１の入力部Ｐ１１４に入力することにより、当該メイン食材をユーザ端末３に表示させる。即ち、制御部２１は、入力部Ｐ１１３に入力された食材の情報に基づいて自動的にメイン食材を特定して入力部Ｐ１１４に入力する。なお、前記メイン食材の表示手法はこれに限らず、例えば前記メイン食材をポップアップ表示させること等も他の実施形態として考えられる。なお、制御部２１は、入力部Ｐ１１４に対して任意の食材を入力することも可能であり、前記ステップＳ８で入力部Ｐ１１４に自動入力されたメイン食材をユーザ操作に応じて任意に変更することも可能である。
【００６１】
＜ステップＳ９＞
ステップＳ９において、制御部２１は、前記ステップＳ７で特定されたメイン食材が共通する他のメニューの表示要求が行われたか否かを判断する。具体的に、制御部２１は、メニュー登録ページＰ１１の操作キーＫ１１２が操作された場合に当該表示要求が行われたと判断する。ここで、当該表示要求が行われたと判断すると（Ｓ９：Ｙｅｓ）、処理がステップＳ１０に移行し、当該表示要求が行われていないと判断すると（Ｓ９：Ｎｏ）、処理がステップＳ１１に移行する。
【００６２】
＜ステップＳ１０＞
ステップＳ１０において、制御部２１は、現在入力中のメニューとメイン食材が共通する他のメニューの情報を提示する参考情報ページＰ１３（図９参照）をユーザ端末３に表示させる。図９に示されるように、参考情報ページＰ１３では、入力部Ｐ１３１及び参考表示部Ｐ１３２などが表示されている。
【００６３】
入力部Ｐ１３１では、検索対象のメニューのメイン食材の入力が受け付けられる。特に、制御部２１は、メニュー登録ページＰ１１の入力部Ｐ１１４に入力されている食材を自動的に入力部Ｐ１３１に入力する。なお、制御部２１は、入力部Ｐ１３１に自動入力されたメイン食材をユーザ操作に応じて任意に変更することも可能である。また、検索条件はメイン食材であることに限らず、制御部２１は、ユーザ操作に応じて、メニューにおける重要度が２番目以内又は３番目以内の食材であることを検索条件として設定することが可能であってもよい。さらに、制御部２１は、複数組の食材及び検索条件を設定可能であってもよい。
【００６４】
参考表示部Ｐ１３２には、入力部Ｐ１３１に入力されているメイン食材が前記検索条件を満たすメニューを特定し、参考メニュー情報として表示部Ｐ１２３に表示させる。具体的に、本実施形態では、参考表示部Ｐ１３２には、メニュー登録ページＰ１１で登録対象として入力中のメニューとメイン食材が共通するメニューの情報が表示されることになる。例えば、図９では、「牛肉」が「メイン」食材として含まれるメニュー「ハンバーグ」、「牛すき焼小鍋」、「牛肉しぐれ煮」の情報が価格と共に表示されている。これにより、ユーザは、参考表示部Ｐ１３２に表示されているメニューを参照し、「牛肉」が「メイン」食材として使用されている他のメニューを把握することが可能である。また、制御部２１は、参考表示部Ｐ１３２におけるいずれかのメニューの選択操作に応じて、当該メニューの詳細情報を表示させ、その後の所定の反映操作に応じて、当該メニューの情報をメニュー登録ページＰ１１に反映させることも考えられる。なお、当該メニューの詳細情報としては、メニュー名、価格、食材（食材名、使用量、単位など）、及びメイン食材などが表示される。
【００６５】
また、制御部２１は、メニュー登録ページＰ１１にメニューの価格が入力されている場合には、前記特定食材が共通し、且つ当該メニューとの価格差が所定範囲内である他の前記メニューを抽出し、参考表示部Ｐ１３２に表示させてもよい。これにより、価格差が所定範囲内の他のメニューを登録候補として把握することが可能である。
【００６６】
＜ステップＳ１１＞
ステップＳ１１において、制御部２１は、メニュー登録ページＰ１１におけるメニューの登録の確定操作が行われたか否かを判断する。具体的に、制御部２１は、メニュー登録ページＰ１１の操作キーＫ１１４が操作された場合に当該確定操作が行われたと判断する。ここで、当該確定操作が行われたと判断されると（Ｓ１１：Ｙｅｓ）、処理がステップＳ１２に移行し、当該確定操作が行われるまでの間は（Ｓ１１：Ｎｏ）、処理が前記ステップステップＳ２に戻される。
【００６７】
＜ステップＳ１２＞
ステップＳ１２において、制御部２１は、メニュー登録ページＰ１１に入力されたメニューの情報をメニュー情報Ｄ３に登録し、当該メニュー管理処理を終了する。なお、制御部２１は、メニュー登録ページＰ１１の入力内容をクリアし、処理を前記ステップＳ１に戻してもよい。
【００６８】
以上説明したように、本実施形態に係るメニュー管理装置２によれば、各メニューのメイン食材を自動的に特定して提示することが可能である。従って、例えば新メニューを登録する飲食店の経営者等がメニューの登録作業を容易に行うことができる。また、メニュー管理装置２によれば、各メニューのメイン食材を自動的に判定することが可能であるため、例えばメイン食材を検索ワードとしてメニュー又は飲食店を検索することも可能である。さらに、当該メニュー管理装置によれば、メイン食材の情報がメニュー情報Ｄ３に登録されていなくても、当該メニュー情報Ｄ３における食材各々の情報と重み付け情報Ｄ４とに基づいて適切にメイン食材を特定することが可能である。そのため、メニュー情報Ｄ３には各メニューについてメイン食材の情報が登録されていなくてもよく、例えば記憶部２２の記憶容量の圧迫を抑制することが可能である。
【００６９】
ところで、本実施形態では、メニューの登録時に入力される食材の情報に基づいて当該メニューにおけるメイン食材が自動的に特定可能な構成を例に挙げて説明した。しかしながら、メニューにおけるメイン食材の特定処理は他の状況でも利用可能である。具体的に、制御部２１は、メイン食材の情報を含まない一又は複数のメニューの情報を含むメニュー情報Ｄ３が既に登録されている場合に、そのメニュー情報Ｄ３の各メニューの情報として当該メニューのメイン食材を自動的に登録することも可能である。即ち、従来のシステムでメイン食材が登録されていないメニュー情報Ｄ３が登録されていた場合に、そのメニュー情報Ｄ３に新たにメイン食材の情報を登録する場合には、各メニューについて個別にメイン食材の情報を登録するという煩雑な作業が生じる。これに対し、制御部２１は、メニュー情報Ｄ３と重み付け情報Ｄ４とに基づいて、当該メニュー情報Ｄ３に登録されているメニュー各々についてメイン食材を特定し、各メニューに対応付けて登録することができる。従って、各メニューのメイン食材を個別に登録する作業を省略しつつ、メイン食材を検索ワードとしてメニュー又は飲食店を検索することが可能なシステムを容易に実現することができる。
【００７０】
また、他の実施形態として、制御部２１が、メニュー登録ページＰ１１において入力される一又は複数の食材の情報に基づいて、登録対象のメニューについてのメニュー名の入力候補を提示することが考えられる。例えば、メイン食材が「牛肉」であり、その次に重要度の高い食材が「玉ねぎ」であり、その次に重要度の高い食材が「米」である場合に、メニュー名の入力候補として「牛丼」が提示されることが考えられる。さらに、制御部２１は、当該メニュー名の入力候補のいずれかが選択された場合に、当該メニュー名を入力部Ｐ１１１に入力することが考えられる。これにより、ユーザは、メニュー名の入力作業を容易に行うことが可能となり、メニュー情報Ｄ３の登録作業を効率的に行うことが可能となる。
【００７１】
［発明の付記］
以下、上述の実施形態から抽出される発明の概要について付記する。なお、以下の付記で説明する各構成及び各処理機能は取捨選択して任意に組み合わせることが可能である。
【００７２】
＜付記１＞
メニューの調理に用いられる食材ごとの使用量と前記食材ごとに対応して予め設定された重み付け値を含む重み付け情報とに基づいて、前記食材各々について前記使用量及び前記重み付け値を用いた特定の演算処理を実行する演算処理部と、
前記食材のうち前記演算処理の演算結果が予め設定される特定条件を満たす特定食材を特定する特定処理部と、
を備えるメニュー管理装置。
【００７３】
＜付記２＞
前記特定条件は、前記演算結果として得られる演算値が最も大きいことである、
付記１に記載のメニュー管理装置。
【００７４】
＜付記３＞
前記特定条件は、前記演算結果として得られる演算値が予め設定される特定順位以内に入っていることである、
付記１に記載のメニュー管理装置。
【００７５】
＜付記４＞
前記特定処理部は、ユーザ操作に応じて前記特定条件を設定可能である、
付記１に記載のメニュー管理装置。
【００７６】
＜付記５＞
前記メニューにおける前記特定食材を情報端末に提示可能な提示処理部を備える、
付記１〜４のいずれかに記載のメニュー管理装置。
【００７７】
＜付記６＞
前記メニューの情報の入力操作を受け付ける受付処理部と、
前記受付処理部によって入力されるメニューと前記特定食材が共通する他の前記メニューを抽出する抽出処理部と、
を備える、付記１〜５のいずれかに記載のメニュー管理装置。
【００７８】
＜付記７＞
前記抽出処理部は、前記メニューの価格が入力された場合に、前記特定食材が共通し、且つ当該メニューとの価格差が所定範囲内である他の前記メニューを抽出する、
付記６に記載のメニュー管理装置。
【００７９】
＜付記８＞
検索対象食材の指定を受け付ける受付処理部と、
前記メニューのうち前記受付処理部により受け付けられる前記検索対象食材についての前記演算処理の演算結果が予め設定される検索条件を満たす特定メニューを検索する検索処理部と、
を備える、付記１〜７のいずれかに記載のメニュー管理装置。
【００８０】
＜付記９＞
前記検索条件が、前記演算結果として得られる演算値が予め設定される検索順位以内に入っていることである、
付記８に記載のメニュー管理装置。
【００８１】
＜付記１０＞
メニューの調理に用いられる食材ごとの使用量と前記食材ごとに対応する重み付け値を含む重み付け情報とに基づいて、前記食材各々について前記使用量及び前記重み付け値を用いた特定の演算処理を実行することと、
前記食材のうち前記演算処理の演算結果が予め設定される特定条件を満たす特定食材を特定することと、
を含むメニュー管理方法。
【００８２】
＜付記１１＞
メニューの調理に用いられる食材ごとの使用量と前記食材ごとに対応する重み付け値を含む重み付け情報とに基づいて、前記食材各々について前記使用量及び前記重み付け値を用いた特定の演算処理を実行する演算ステップと、
前記食材のうち前記演算処理の演算結果が予め設定される特定条件を満たす特定食材を特定する特定ステップと、
をコンピュータに実行させるためのメニュー管理プログラム。
【００８３】
＜付記１２＞
メニューの調理に用いられる食材ごとの使用量と前記食材ごとに対応して予め設定された重み付け値を含む重み付け情報とに基づいて、前記食材各々について前記使用量及び前記重み付け値を用いた特定の演算処理を実行する演算処理部と、
検索対象食材の指定を受け付ける受付処理部と、
前記メニューのうち前記受付処理部により受け付けられる前記検索対象食材についての前記演算処理の演算結果が予め設定される検索条件を満たす特定メニューを検索する検索処理部と、
を備えるメニュー管理装置。
【００８４】
＜付記１３＞
前記検索条件が、前記演算結果として得られる演算値が予め設定される検索順位以内に入っていることである、
付記１０に記載のメニュー管理装置。
【符号の説明】
【００８５】
１      メニュー管理システム
２      メニュー管理装置
２１    制御部
２１１  受付処理部
２１２  提示処理部
２１３  演算処理部
２１４  特定処理部
２１５  抽出処理部
３      ユーザ端末
３１    制御部
３１１  ブラウザ処理部
【図１】
2018128819.tif 000003
【図２】
2018128819.tif 000004
【図３】
2018128819.tif 000005
【図４】
2018128819.tif 000006
【図５】
2018128819.tif 000007
【図６】
2018128819.tif 000008
【図７】
2018128819.tif 000009
【図８】
2018128819.tif 000010
【図９】
2018128819.tif 000011